(57)【要約】【課題】  傘面が反射作用による警告効果を具え、傘の使用者の安全を守ることができる傘を提供する。【課題手段】  中棒と、該中棒の下端縁部に連結する柄と、該中棒他端に設ける石突と、該中棒に接続する複数の傘の骨と、それぞれの傘の骨の上面に設ける傘面とを含んでなる傘であって、該傘面の外周縁部を透明の材質によって形成し、かつ内側に折り返して熱圧着して折り返し部とし、該折り返し部と傘面との間に形成される密閉空間を収納部として該収納部に予め反射材を設ける。【選択図】  図２
0003102203.tif 000002
【実用新案登録請求の範囲】
【請求項１】
中棒と、該中棒の下端縁部に連結する柄と、該中棒他端に設ける石突と、該中棒に接続する複数の傘の骨と、それぞれの傘の骨の上面に設ける傘面とを含んでなる傘において、
該傘面の外周縁部を透明の材質によって形成し、かつ内側に折り返して熱圧着して折り返し部とし、該折り返し部と傘面との間に形成される密閉空間を収納部として該収納部に予め反射材を設けることを特徴とする傘。
【考案の詳細な説明】
【技術分野】
【０００１】
本考案は、傘に関し、特に暗く、雨が降っている環境下において傘面に照射する光線を反射して、傘の使用者の安全を守ることのできる警告作用を具えた傘に関する
【背景技術】
【０００２】
従来の傘を図１に開示する。図面によれば、傘（１００）は中棒（１０１）の下端縁部に柄（１０２）を具え、他端には複数の傘の骨（１０３）を接続する。それぞれの傘の骨（１０３）の上面には傘面（１０４）が設けられ、該傘面（１０４）によって雨除け、もしくは日除けの目的を達成する。また、中棒（１０１）の上端には石突（１０５）を設けて傘の骨（１０３）を固定する。但し、傘面（１０４）は雨除け、もしくは日除けの作用しかなく、その他の付加価値を具えていない。例えば、暗く（例えば夜間）、雨が降っている環境下では、オートバイ、自動車などの運転者は視界が狭くなり、傘をさした路上の歩行者を認めにくくなる。この場合、傘（１００）自体は何ら警告作用も有しないため、交通事故が容易に発生する。よって、傘の安全性が問われる。
【考案の開示】
【考案が解決しようとする課題】
【０００３】
解決しようとする課題は、傘面が反射作用による警告効果を具え、傘の使用者の安全を守ることができる傘を提供することにある。
【課題を解決するための手段】
【０００４】
そこで、本考案は従来の傘に見られる欠点に鑑み鋭意研究を重ねた結果、傘面全体、もしくは傘面の外周縁部を透明材質で形成し、かつ傘面の外周縁部を折り返して内部に収納空間を形成し、該収納空間に反射材を設ける傘の構造によって課題を解決できる点に着眼し、かかる知見に基づいて本考案を完成させた。
【０００５】
以下この考案について具体的に説明する。
請求項１に記載する傘は、中棒と、該中棒の下端縁部に連結する柄と、該中棒他端に設ける石突と、該中棒に接続する複数の傘の骨と、それぞれの傘の骨の上面に設ける傘面とを含んでなる傘であって、該傘面の外周縁部を透明の材質によって形成し、かつ内側に折り返して熱圧着して折り返し部とし、該折り返し部と傘面との間に形成される密閉空間を収納部として該収納部に予め反射材を設ける。
【考案の効果】
【０００６】
本考案の傘は、特に夜間などの暗い環境下で使用する場合、オートバイは自動車のヘッドランプなどから照射される光線を反射して、運転者に警告を与え、傘の使用者の安全を守るという利点がある。
【考案を実施するための最良の形態】
【０００７】
この考案は、暗く、雨が降っている環境下において傘面に照射する光線を反射して、傘の使用者の安全を守ることのできる警告作用を具えた傘を提供するものであって、傘面全体、もしくは傘面の外周縁部を透明材質で形成し、かつ傘面の外周縁部を折り返して内部に収納空間を形成し、該収納空間に反射材を設けて構成する。
かかる傘の構造と特徴を説明するために、具体的な実施例を挙げ、図面を参照にして以下に詳述する。
【実施例】
【０００８】
図２、３にこの考案による傘を開示する。図面によれば、傘（１０）は中棒（１１）の下端縁部に柄（１２）を連結し、中棒（１１）の他端には複数の傘の骨（１３）を接続する。それぞれの傘の骨（１３）の上面には傘面（１４）を設け、該傘面（１４）によって、雨除け、もしくは日除けの目的を達成する。また、中棒の上端部には石突（１５）を設け、それぞれの傘の骨（１３）を固定する。
【０００９】
傘面（１４）の外周縁部は、透明の材質によってなり、内側に折り返して熱圧着して折り返し部（１６）とする。この場合、図３に開示するように折り返し部（１６）と傘面（１４）との間に密閉空間である収納部（１７）が形成される。該収納部（１７）には、予め反射材（１８）を設ける。
【００１０】
傘面（１４）は、図２に開示するように全体を透明材質で形成してもよく、この場合外周縁部の折り返し部（１６）も透明材質の部分に包括される。また、図４に開示するように、傘面（１４）を不透明の材質によって形成し、外周縁部のみを透明材質で形成してもよい。
【００１１】
以上の構成による傘（１０）は、暗く（例えば夜間）、かつ雨が降っている環境下で使用する場合、図３に開示するように、オートバイ、もしくは自動車のヘッドランプの光線が傘面（１４）の透明部を透過して反射材（１８）に照射されると、外方向に反射されてオートバイや自動車の運転者に対する警告の効果が得られる。よって、この考案による傘（１０）は、暗く、かつ雨が降っている環境下において使用する場合、オートバイや自動車の運転者が路上の歩行者を認めることができずに発生する交通自己を防ぐ効果を有する。
【００１２】
よって、この考案による傘（１０）は、傘面（１４）の外周縁部が透明材質で形成され、かつ内側に折り返した折り返し部（１６）を形成し、折り返し部（１６）と傘面（１４）との間に形成される収納部（１７）に反射材が設けられているため、暗く、雨が降っている環境下で使用する場合、オートバイや自動車のヘッドランプなどから傘面（１４）に照射する光線を反射材（１８）で反射し、運転者に対して警告を与え、傘（１０）をさしている歩行者の安全を守り、交通事故の発生を効率よく防止することができる。
【００１３】
以上はこの考案の好ましい実施例であって、この考案の実施の範囲を限定するものではない。よって、当業者のなし得る修正、もしくは変更であって、この考案の精神の下においてなされ、かつこの考案に対して均等の効果を有するものは、いずれもこの考案の実用新案請求の範囲に属するものとする。
【図面の簡単な説明】
【００１４】
【図１】従来の傘の外観を示した説明図である。
【図２】この考案による傘の外観と、傘面の外周縁部の局部拡大図である。
【図３】図２に開示する傘の使用態様を示した説明図である。
【図４】この考案による傘の他の実施形態を示した説明図である。
【符号の説明】
【００１５】
１００         傘
１０１         中棒
１０２         柄
１０３         傘の骨
１０４         傘面
１０５         石突
１０         傘
１１         中棒
１２         柄
１３         傘の骨
１４         傘面
１５         石突
１６         折り返し部
１７         収納部
１８         反射材
【図１】
0003102203.tif 000003
【図２】
0003102203.tif 000004
【図３】
0003102203.tif 000005
【図４】
0003102203.tif 000006